(57)【特許請求の範囲】
【請求項１】
複数の患者情報を表示させる表示制御部と、
ナースコールの呼び出しを受け付ける呼出受付部と
を備え、
前記表示制御部は、前記ナースコールの呼び出しを待機しているとき、前記複数の患者情報をボード型表示画面で表示させ、前記呼出受付部が前記ナースコールの呼び出しを受け付けたとき、前記複数の患者情報をレイアウト型表示画面に切り替えて表示させる
ことを特徴とするナースコール親機。
【請求項２】
前記表示制御部は、前記複数の患者情報を前記レイアウト型表示画面に切り替えて表示させてから、前記ナースコールの呼び出しに対する応答がなされた後、所定時間が経過した後に、前記複数の患者情報を前記ボード型表示画面に切り替えて表示させる
ことを特徴とする請求項１に記載のナースコール親機。
【発明の詳細な説明】
【技術分野】
【０００１】
本発明は、ナースコール親機に関し、特に、患者からのナースコールの呼び出しを待機しているときに、複数の患者情報を表示するようになされたナースコール親機に関する。
【背景技術】
【０００２】
一般に、病院や介護施設などでは、患者や被介護者（以下、単に「患者」と言う）と医師や看護師、介護師（以下、単に「医療従事者」と言う）との連絡に、ナースコールシステムが用いられている。この種のナースコールシステムにおいて、患者がナースコール子機の呼出ボタンを押下して呼び出しを行うと、呼び出しが行われたことがナースコール親機にて報知される。
【０００３】
例えば、ナースコール親機では、ナースコール子機からの呼び出しを待機しているときには所定の待機画面がディスプレイに表示されている。そして、ナースコール子機からの呼び出しを受け付けると、呼び出しを行った患者の情報（氏名、部屋番号、ベッド番号など）がポップアップ画面として表示される。このようなナースコール子機からの呼び出しに応じて、医療従事者がナースコール親機のハンドセット等によって応答すると、患者と医療従事者との間で通話が可能な状態となる。
【０００４】
待機画面の一例として、例えば、ボード型表示画面とレイアウト型表示画面とが挙げられる。ボード型表示画面は、複数の患者の患者情報（患者の氏名、年齢、症状など）を、各患者が入室している病室毎にグルーピングしてボード形式で一覧表示したものである。また、レイアウト型表示画面は、病院内における各病室およびナースセンタの配置位置を模式的に表したレイアウト上において、複数の患者の患者情報を、各患者が入室している病室の概略位置に配置することにより、レイアウト形式で表示したものである。
【０００５】
従来のナースコール親機では、ディスプレイの表示領域の制限があるため、ボード型表示画面またはレイアウト型表示画面のいずれか一方を選択してディスプレイに表示させることができるようになっている。
【０００６】
なお、下記特許文献１には、ナースコール親機に２つのディスプレイ（第１ディスプレイおよび第２ディスプレイ）を設け、病棟全体の患者情報の一覧を第１ディスプレイによってボード形式で表示し、病棟全体の患者情報の一覧を第２ディスプレイによってレイアウト形式で表示する技術が開示されている。
【先行技術文献】
【特許文献】
【０００７】
【特許文献１】特開２０１４−１７１５２９号公報
【発明の概要】
【発明が解決しようとする課題】
【０００８】
しかしながら、従来、ディスプレイが１台しかない場合、ボード型表示画面が選択されて表示されているときには、各患者の患者情報がボード状に並べて表示されるため、患者からのナースコールの呼び出しを受け付けたときにその患者の居場所が分かり難いといった問題が生じていた。一方、レイアウト型表示画面が選択されて表示されているときには、各患者の患者情報が対応する病室の比較的小さい表示領域内に収まるように表示されるため、ナースコールの呼び出しを待機しているときに各患者の患者情報が見難いといった問題が生じていた。
【０００９】
本発明は、このような問題を解決するために成されたものであり、ナースコールの呼び出しの待機中には患者情報を見易くすることができるようにしつつ、ナースコールの呼び出しを受け付けたときにはナースコールの呼び出しを行った患者の位置を容易に特定することができるようにすることを目的とする。
【課題を解決するための手段】
【００１０】
上記した課題を解決するために、本発明では、ナースコールの呼び出しを待機しているとき、複数の患者情報をボード型表示画面で表示させ、ナースコールの呼び出しを受け付けたとき、複数の患者情報をレイアウト型表示画面に切り替えて表示させるようにしている。
【発明の効果】
【００１１】
上記のように構成した本発明によれば、ナースコールの呼び出しを待機しているときには、複数の患者情報の各々が比較的大きい表示サイズで表示され、ナースコールの呼び出しを受け付けたときには、複数の患者情報の各々がレイアウト表示画面上の対応するベッド位置に表示されるようになる。このため、本発明によれば、ナースコールの呼び出しの待機中には患者情報を見易くすることができるとともに、ナースコールの呼び出しを受け付けたときにはナースコールの呼び出しを行った患者の位置を容易に特定することができる。
【図面の簡単な説明】
【００１２】
【図１】本発明の一実施形態に係るナースコールシステムの全体構成例を示す図である。
【図２】本発明の一実施形態に係るナースコール親機の機能構成例を示すブロック図である。
【図３】本発明の一実施形態に係るナースコール親機による表示制御処理の手順を示すフローチャートである。
【図４】本発明の一実施形態に係るナースコール親機による表示制御処理の具体例を示す図である。
【発明を実施するための形態】
【００１３】
以下、本発明の一実施形態を図面に基づいて説明する。
【００１４】
〔ナースコールシステムの全体構成〕
図１は、本発明の一実施形態に係るナースコールシステムの全体構成例を示す図である。ここでは、病院に設置される看護支援用のナースコールシステムの例を説明するが、本実施形態のナースコールシステムは、これに限定されない。例えば、本実施形態のナースコールシステムは、介護施設等に設置されるナースコールシステムであってもよい。
【００１５】
図１に示すように、本実施形態に係るナースコールシステムは、ナースコール親機１、制御機２、廊下灯３、壁埋込形子機４およびハンド形子機５を備えて構成されている。
【００１６】
ナースコール親機１は、患者（ナースコール子機）からの呼び出しを受けて所定の報知処理を行うものであり、例えばナースセンタに設置される。制御機２は、ナースコール親機１と廊下灯３との間に配置され、通話やデータの送受信に関する制御を行う。廊下灯３は、病室内の患者名が表示されるとともに、病室内の患者がナースコールの呼び出しを行うと、呼び出しが行われたことが表示されるようになっている。
【００１７】
壁埋込形子機４およびハンド形子機５は、患者がナースコールの呼び出しの操作を行うためのナースコール子機である。壁埋込形子機４は、病室の各ベッドサイドの壁に埋め込み設置される。この壁埋込形子機４は、廊下灯３に接続されている。壁埋込形子機４は、患者がナースコールの呼び出しを行うための呼出ボタン、患者が医療従事者と通話を行う際に使用するマイクおよびスピーカ、ハンド形子機５を接続するための接続端子を備えている。
【００１８】
ハンド形子機５は、患者がナースコールの呼び出しを行うための呼出ボタン、患者が医療従事者と通話を行う際に使用するマイクおよびスピーカを備えている。ハンド形子機５は、壁埋込形子機４の接続端子に接続されることにより、利用可能となる。
【００１９】
患者が壁埋込形子機４またはハンド形子機５の呼出ボタンを押下すると、所定の呼出信号が、廊下灯３および制御機２を介して、ナースコール親機１へ送信される。この呼出信号を受信したナースコール親機１は、所定の報知処理を行う。これにより、患者からの呼び出しが医療従事者に通知されるようになっている。そして、医療従事者がナースコール親機１からナースコールの呼び出しに応答すると、患者と医療従事者との通話が可能となる。
【００２０】
本実施形態のナースコール親機１は、ナースコールの呼び出しを待機しているときと、ナースコールの呼び出しを受け付けたときとで、複数の患者情報の表示画面を切り替えてディスプレイ１ｂに表示させるようになっている。具体的には、ナースコール親機１は、ナースコールの呼び出しを待機しているとき、複数の患者情報をボード型表示画面でディスプレイ１ｂに表示させる。また、ナースコール親機１は、呼出受付部２２がナースコールの呼び出しを受け付けたとき、複数の患者情報をレイアウト型表示画面に切り替えて表示させる。
【００２１】
〔ナースコール親機１の機能構成〕
図２は、本発明の一実施形態に係るナースコール親機１の機能構成例を示すブロック図である。図２に示すように、本実施形態に係るナースコール親機１は、レイアウト情報記憶部１１および患者情報記憶部１２を備えている。また、ナースコール親機１は、その機能構成として、表示制御部２１、呼出受付部２２、報知部２３および応答受付部２４を備えている。
【００２２】
なお、上記各機能ブロック２１〜２４は、ハードウェア構成、ＤＳＰ、ソフトウェアの何れによっても実現することが可能である。例えばソフトウェアによって実現する場合、上記各機能ブロック２１〜２４は、実際にはコンピュータのＣＰＵあるいはＭＰＵ、ＲＡＭ、ＲＯＭなどを備えて構成され、ＲＡＭ、ＲＯＭ、ハードディスク、半導体メモリ等に記憶されたプログラムが動作することによって実現できる。
【００２３】
レイアウト情報記憶部１１は、病棟内における各設備（例えば、病室、ベッド、ナースセンタ、浴室、トイレ等）の配置位置を模式的に表したレイアウト情報を記憶する。レイアウト情報記憶部１１に記憶されているレイアウト情報においては、各設備に対し、レイアウト型表示画面上における表示位置を特定するための位置情報が設定されている。
【００２４】
患者情報記憶部１２は、各患者の患者情報が示された患者情報テーブルを記憶する。患者情報は、例えば、患者ＩＤ、子機ＩＤ、患者名、年齢、性別、部屋番号、ベッド番号、病状等を含んで構成されている。
【００２５】
呼出受付部２２は、ナースコール子機（壁埋込形子機４またはハンド形子機５）からのナースコールの呼び出しを受け付ける。具体的には、呼出受付部２２は、ナースコール子機から送信されたナースコールの呼出信号を受信する。ナースコールの呼出信号には、呼出元のナースコール子機の子機ＩＤ、呼出種別等の情報が含まれている。
【００２６】
報知部２３は、呼出受付部２２がナースコールの呼び出しを受け付けると、所定の報知処理を行う。具体的には、報知部２３は、呼出受付部２２が受信した呼出信号に含まれている子機ＩＤに基づいて、患者情報記憶部１２を参照することにより、呼び出し元の患者を特定する。そして、報知部２３は、特定した患者の患者情報や、呼出信号に含まれている呼出種別等を表示内容に含んだ所定の呼出画面（例えば、ポップアップ画面）を表示制御部２１に指示してディスプレイ１ｂに表示させるとともに、所定の呼出音をスピーカ１ｃから出力させる。
【００２７】
応答受付部２４は、ナースコールの呼び出しに対する医療従事者の応答を受け付ける。例えば、医療従事者がナースコールの呼び出しに応じてハンドセット１ａをオフフックすると、応答受付部２６は、これをナースコールの呼び出しに対する応答として受け付ける。
【００２８】
表示制御部２１は、複数の患者情報をディスプレイ１ｂに表示させる。例えば、表示制御部２１は、ナースコールの呼び出しを待機しているとき、患者情報記憶部１２から読み出した複数の患者情報をボード型表示画面でディスプレイ１ｂに表示させる。また、表示制御部２１は、呼出受付部２２がナースコールの呼び出しを受け付けたとき、患者情報記憶部１２から読み出した複数の患者情報を、レイアウト情報記憶部１１から読み出したレイアウト情報に基づくレイアウト型表示画面に切り替えて表示させる。
【００２９】
また、表示制御部２１は、呼出受付部２２がナースコールの呼び出しを受け付けたとき、報知部２３の指示を受けて、所定の呼出画面（例えば、ポップアップ画面）をレイアウト型表示画面上に重ねてディスプレイ１ｂに表示させる。
【００３０】
〔表示制御処理の手順〕
図３は、本発明の一実施形態に係るナースコール親機１による表示制御処理の手順を示すフローチャートである。図３に例示する処理は、例えば、ナースコール親機１が起動されている間、ナースコール親機１によって繰り返し実行される。
【００３１】
まず、表示制御部２１が、複数の患者情報をボード型表示画面でディスプレイ１ｂに表示させる（ステップＳ３０２）。次に、呼出受付部２２が、ナースコールの呼び出しを受け付けたか否かを判断する（ステップＳ３０４）。ここで、ナースコールの呼び出しを受け付けていないと呼出受付部２２が判断した場合（ステップＳ３０４：Ｎｏ）、呼出受付部２２が、ステップＳ３０４の判断処理を再度実行する。
【００３２】
一方、ナースコールの呼び出しを受け付けたと呼出受付部２２が判断した場合（ステップＳ３０４：Ｙｅｓ）、表示制御部２１が、複数の患者情報をレイアウト型表示画面に切り替えてディスプレイ１ｂに表示させる（ステップＳ３０６）。そして、報知部２３の指示により、表示制御部２１が、ナースコールの呼び出しを行った患者の患者情報を表示するポップアップ画面を、レイアウト型表示画面上に重ねてディスプレイ１ｂに表示させる（ステップＳ３０８）。さらに、報知部２３が、所定の呼出音をスピーカ１ｃから出力させる（ステップＳ３１０）。
【００３３】
その後、応答受付部２４が、ナースコールの呼び出しに対する応答を受け付けたか否かを判断する（ステップＳ３１２）。ここで、ナースコールの呼び出しに対する応答を受け付けていないと応答受付部２４が判断した場合（ステップＳ３１２：Ｎｏ）、応答受付部２４が、ステップＳ３１２の判断処理を再度実行する。
【００３４】
一方、ナースコールの呼び出しに対する応答を受け付けたと応答受付部２４が判断した場合（ステップＳ３１２：Ｙｅｓ）、報知部２３が、所定の呼出音のスピーカ１ｃからの出力を停止させる（ステップＳ３１４）。また、表示制御部２１が、複数の患者情報をボード型表示画面に切り替えてディスプレイ１ｂに表示させる（ステップＳ３１６）。そして、ナースコール親機１は、図３に示す一連の処理を終了する。
【００３５】
〔表示制御処理の具体例〕
図４は、本発明の一実施形態に係るナースコール親機１による表示制御処理の具体例を示す図である。
【００３６】
図４（ａ）に示すボード型表示画面４００は、ナースコール親機１がナースコールの呼び出しを待機しているとき、表示制御部２１の制御によってディスプレイ１ｂに表示される複数の患者情報の表示画面である。このボード型表示画面４００は、複数の患者情報を、各患者が入室している病室毎にグルーピングしてボード形式で一覧表示したものである。
【００３７】
ボード型表示画面４００では、各患者情報に割り当てられた表示領域のサイズが、レイアウト型表示画面４１０において各患者情報に割り当てられた表示領域のサイズよりも大きくなっている。このため、ボード型表示画面４００では、レイアウト型表示画面４１０よりも、患者情報の表示サイズ（文字サイズ）を大きくして、患者情報を見易くすることができるようになっている。加えて、ボード型表示画面４００では、レイアウト型表示画面４１０よりも、患者情報の表示項目を多く表示することができるようになっている。図４（ａ）に示す例では、ボード型表示画面４００において、各患者情報の項目として、部屋番号、ベッド番号、患者名、病状、年齢、性別が表示されている。
【００３８】
一方、図４（ｂ）に示すレイアウト型表示画面４１０は、ナースコール親機１の呼出受付部２２がナースコールの呼び出しを受け付けたとき、表示制御部２１の制御によってディスプレイ１ｂに表示される複数の患者情報の表示画面である。このレイアウト型表示画面４１０は、病院内における各病室およびナースセンタの配置位置を模式的に表したレイアウト上において、複数の患者情報を、各患者が入室している病室の概略位置に配置することにより、レイアウト形式で表示したものである。
【００３９】
また、図４（ｂ）に示すように、ナースコール親機１の呼出受付部２２がナースコールの呼び出しを受け付けたとき、表示制御部２１の制御により、複数の患者情報がレイアウト型表示画面４１０でディスプレイ１ｂに表示されるとともに、ナースコールの呼び出しを行った患者の患者情報を表示するポップアップ画面４２０が、レイアウト型表示画面４１０上に重ねてディスプレイ１ｂに表示される。
【００４０】
レイアウト型表示画面４１０では、ナースコールの呼び出しを行った患者のベッド位置が強調表示される。例えば、図４（ｂ）に示す例では、部屋番号が「８０３」であり、ベッド番号が「２」である患者のベッド位置が強調表示されている。これにより、ナースコールの呼び出しを受けた医療従事者は、ナースコールの呼び出しを行った患者のベッド位置を容易に把握することができる。なお、図４（ｂ）に示すように、ポップアップ画面４２０は、強調表示されたベッド位置と重ならないように表示される。
【００４１】
レイアウト型表示画面４１０では、各患者情報に割り当てられた表示領域のサイズが、ボード型表示画面４００において各患者情報に割り当てられた表示領域のサイズよりも小さくなっている。このため、レイアウト型表示画面４１０では、各患者情報の表示サイズがボード型表示画面４００よりも小さくなっている。加えて、レイアウト型表示画面４１０では、各患者情報の表示項目が少なくなっている。例えば、図４（ｂ）に示す例では、各患者情報の表示項目として、部屋番号およびベッド番号のみが表示されている。
【００４２】
ナースコールの呼び出しを行った患者のより詳細な患者情報は、レイアウト型表示画面４１０上に重ねて表示されたポップアップ画面４２０によって、比較的大きなサイズで表示される。図４（ｂ）に示す例では、ポップアップ画面４２０には、ナースコールの呼出種別（「緊急呼び出し」）に加えて、ナースコールの呼び出しを行った患者の患者情報として、部屋番号、ベッド番号、患者名、病状、年齢、性別が比較的大きな文字サイズで表示されている。これにより、ナースコールの呼び出しを受けた医療従事者は、ナースコールの呼び出しを行った患者のより詳細な患者情報を容易に把握することができる。
【００４３】
なお、ナースコール親機１において応答受付部２４がナースコールの呼び出しに対する応答を受け付けると、表示制御部２１の制御により、複数の患者情報がレイアウト型表示画面４１０から元のボード型表示画面４００に切り替えられてディスプレイ１ｂに表示される。これにより、ナースコール親機１がナースコールの呼び出しを再び待機しているとき、ディスプレイ１ｂにはボード型表示画面４００が表示されるようになる。
【００４４】
以上説明したように、本実施形態では、ナースコールの呼び出しを待機しているときには、ボード型表示画面によって複数の患者情報の各々が比較的大きい表示サイズで表示され、ナースコールの呼び出しを受け付けたときには、レイアウト型表示画面によって複数の患者情報の各々が対応するベッド位置に表示されるようになる。このため、本実施形態によれば、ナースコールの呼び出しの待機中には患者情報を見易くすることができるとともに、ナースコールの呼び出しを受け付けたときにはナースコールの呼び出しを行った患者の位置を容易に特定することができる。
【００４５】
なお、上記実施形態では、表示制御部２１が、ナースコールの呼び出しに対する応答がなされた後、直ちにレイアウト型表示画面からボード型表示画面に切り替えるようにしているが、本発明はこれに限らない。例えば、表示制御部２１は、ナースコールの呼び出しに対する応答がなされた後、所定時間が経過してから、レイアウト型表示画面からボード型表示画面に切り替えるようにしてもよい。これにより、例えばナースコールの呼び出しに対応する応答がなされた直後に、別のナースコールの呼び出しを受け付けた場合に、表示画面の切り替えが頻繁に行われて表示画面が見難くなってしまうことを防止することができる。
【００４６】
また、上記実施形態では、呼出受付部２２がナースコールの呼び出しを受け付けたとき、表示制御部２１が、ボード型表示画面からレイアウト型表示画面に切り替えた後にポップアップ画面を重ねて表示させるようにしているが、本発明はこれに限らない。例えば、表示制御部２１は、ポップアップ画面をボード型表示画面上に重ねて表示させた後、当該ポップアップ画面を表示させたまま、ボード型表示画面からレイアウト型表示画面に切り替えて表示させるようにしてもよい。
【００４７】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００４８】
１  ナースコール親機
１ａ  ハンドセット
１ｂ  ディスプレイ
１ｃ  スピーカ
２  制御機
３  廊下灯
４  壁埋込形子機
５  ハンド形子機
１１  レイアウト情報記憶部
１２  患者情報記憶部
２１  表示制御部
２２  呼出受付部
２３  報知部
２４  応答受付部
【図１】
0006527055.tif 000002
【図２】
0006527055.tif 000003
【図３】
0006527055.tif 000004
【図４】
0006527055.tif 000005